(57)【要約】【課題】広い設置スペースを必要とせず、水道水の消費量が比較的少なく、安定した昇降動作を行うことのできる、昇降装置を提供する。【解決手段】昇降装置１０は、建築物の内部に昇降可能に配置され人間Ｍが乗り降り可能な搭乗部１１を有する昇降体１２と、この昇降体１２を吊り下げた状態で建築物と昇降体１２との間に張設された複数のチェーン１３ａ，１３ｂ，１４ａ，１４ｂと、チェーン１３ａ，１３ｂ，１４ａ，１４ｂの一部に係合した状態で水道水の圧力により伸縮するピストンロッド１５ａ，１６ａを有する水圧シリンダ１５，１６と、を備えている。水圧シリンダ１５，１６は建築物の一部に固定されており、それぞれのピストンロッド１５ａ，１６ａの伸縮動作でチェーン１３ａ，１３ｂ，１４ａ，１４ｂをＵ状屈曲させたり、復元させたりすることによって昇降体１２を上昇させたり、下降させたりすることができる。【選択図】  図１
2007031011.tif 000002
【特許請求の範囲】
【請求項１】
建築物の内部に昇降可能に配置され、人間が乗り降り可能な搭乗部を有する昇降体と、前記昇降体を吊り下げた状態で前記建築物と前記昇降体との間に張設されたチェーンと、前記チェーンの一部に係合した状態で水道水の圧力により伸縮するピストンロッドを有する水圧シリンダと、を備え、前記ピストンロッドの伸縮動作で前記チェーンをＵ状屈曲・復元させることにより前記昇降体を上昇・下降させることを特徴とする昇降装置。
【請求項２】
前記水圧シリンダおよび前記チェーンを複数設けた請求項１記載の昇降装置。
【請求項３】
複数の前記ピストンロッドによる複数の前記チェーンのＵ状屈曲・復元動作を同期させるため、それぞれの前記チェーンに係合して回転する複数のスプロケットと、複数の前記スプロケットを同軸上で連結する回転同期軸とを設けた請求項２記載の昇降装置。
【請求項４】
前記水圧シリンダを、前記昇降体の昇降領域の上方位置に水平方向に配置した請求項１〜３のいずれかに記載の昇降装置。
【発明の詳細な説明】
【技術分野】
【０００１】
本発明は複数階建ての建築物内において居住者が一階と地上階または地階との間を容易に移動するための昇降装置に関する。
【背景技術】
【０００２】
２階建て住宅などの建築物内の居住者は階段を上り下りすることによって、１階と２階との間を行き来している。階段の上り下りは、足腰の丈夫な若者や健常者にとって特に苦にならないが、老齢者や身体障害者などにとっては大きな負担を強いる動作である。そこで、老齢者などが簡単に階段の上り下りをすることができるように、階段に沿って昇降する機能を有する階段リフトなどが提案されているが、搭乗部や駆動機構などの構造が複雑であり、搭乗部を移動させるためのレールなどを付設する必要があるため、居住空間の狭い住宅などにおいては容易に採用できない。
【０００３】
一方、一般住宅において、床下収納物を取り出したり、収納したりするときの肉体的負担を軽減したり、住宅内に設置された洗面台、流し台などの各種器物の高さ調節を行ったりする手段として、水道圧を利用した昇降装置が提案されている（例えば、特許文献１，２参照。）。特許文献１，２に記載された昇降装置を使用すれば、電力を用いることなく物体を昇降させることが可能となる。
【０００４】
【特許文献１】特開２００３−１０５９６５号公報
【特許文献２】特開平１０−１８８０１
【発明の開示】
【発明が解決しようとする課題】
【０００５】
特許文献１記載の「床下収納物取り出し用の昇降機構」の場合、受け台を昇降させるためには中空体内に大量の水道水を導入、排出しなければならないので、頻繁に昇降を行うと水道水の無駄が生じる。また、受け台が傾かないように保ちながら昇降させるためのガイド柱があるため、広い設置スペースが必要である。
【０００６】
一方、特許文献２記載の「水圧駆動装置」の場合、その昇降距離はシリンダの伸縮ストロークで定まるので、比較的長い距離を昇降させたいときは、それに応じた長尺のシリンダが必要となる。このため、建物の１・２階間の昇降装置として利用するとなると、昇降距離よりも長いシリンダを設置するスペースを確保する必要があり、スペースの限られている一般住宅での採用は困難である。
【０００７】
本発明が解決しようとする課題は、広い設置スペースを必要とせず、水道水の消費量が比較的少なく、安定した昇降動作を行うことのできる、昇降装置を提供することにある。
【課題を解決するための手段】
【０００８】
本発明の昇降装置は、建築物の内部に昇降可能に配置され、人間が乗り降り可能な搭乗部を有する昇降体と、前記昇降体を吊り下げた状態で前記建築物と前記昇降体との間に張設されたチェーンと、前記チェーンの一部に係合した状態で水道水の圧力により伸縮するピストンロッドを有する水圧シリンダと、を備え、前記ピストンロッドの伸縮動作で前記チェーンをＵ状屈曲・復元させることにより前記昇降体を上昇・下降させることを特徴とする。
【０００９】
このような構成とすれば、水道水の圧力で伸縮するピストンロッドの伸展動作、収縮動作によってチェーンをＵ状屈曲させたり、元の形状に復元させたりすると、昇降体を吊り下げているチェーンは、引き上げられたり、戻されたりすることとなるため、これによって昇降体を上昇させたり、下降させたりすることができる。このとき、昇降体の昇降距離はピストンロッドの伸縮距離の２倍となるため、ピストンロッドの伸縮動作のストロークは、必要とする、昇降体の昇降距離の半分ですむ。従って、比較的小型の水圧シリンダで昇降体を昇降させることが可能となるため、広い設置スペースを必要とせず、水道水の消費量も比較的少なくて済む。また、昇降体は、チェーンで吊り下げた状態で昇降させるので、安定した昇降動作を行うことができ、昇降体の姿勢を安定させるためのガイド部材なども不要となる。
【００１０】
ここで、前記水圧シリンダおよび前記チェーンを複数設ければ、昇降体を複数のチェーンで吊り下げた状態で、複数の水圧シリンダによって昇降させることが可能となるため、昇降力が高まり、昇降体の安定性も向上する。
【００１１】
この場合、複数の前記ピストンロッドによる複数の前記チェーンのＵ状屈曲・復元動作を同期させるため、それぞれの前記チェーンに係合して回転する複数のスプロケットと、複数の前記スプロケットを同軸上で連結する回転同期軸とを設けることが望ましい。このような構成とすれば、複数のチェーンのＵ状屈曲・復元動作が互いにずれることなく一致して行われることとなるため、昇降中における昇降体の安定性がさらに向上する。
【００１２】
一方、前記水圧シリンダを、前記昇降体の昇降領域の上方位置に水平方向に配置することが望ましい。このような構成とすれば、水圧シリンダが、昇降体への乗り降りや昇降体の昇降動作を妨げたり、建築物の居住空間に悪影響を与えたりすることがなくなるため、利便性が向上する。
【発明の効果】
【００１３】
本発明により、広い設置スペースを必要とせず、水道水の消費量が比較的少なく、安定した昇降動作を行うことのできる、昇降装置を提供することができる。
【発明を実施するための最良の形態】
【００１４】
以下、図面に基づいて、本発明の実施の形態について説明する。図１は本発明の実施の形態である昇降装置を示す概略構成図、図２（ａ）は図１に示す昇降装置を構成する水圧シリンダ付近の側面図、図２（ｂ）は図２（ａ）の一部切欠拡大図、図３は図２に示す水圧シリンダ付近の平面図、図４は図１における矢線Ａで示す支柱付近の垂直断面図、図５は水圧シリンダの伸縮動作を示す図である。
【００１５】
図１に示すように、本実施形態の昇降装置１０は、建築物（図示せず）の内部に昇降可能に配置され人間Ｍが乗り降り可能な搭乗部１１を有する昇降体１２と、この昇降体１２を吊り下げた状態で建築物と昇降体１２との間に張設された複数のチェーン１３ａ，１３ｂ，１４ａ，１４ｂと、チェーン１３ａ，１３ｂ，１４ａ，１４ｂの一部に係合した状態で、水道水の圧力により伸縮するピストンロッド１５ａ，１６ａを有する水圧シリンダ１５，１６と、を備えている。水圧シリンダ１５，１６は建築物の一部に固定されており、それぞれのピストンロッド１５ａ，１６ａの伸縮動作でチェーン１３ａ，１３ｂ，１４ａ，１４ｂをＵ状屈曲させたり、復元させたりすることによって、昇降体１２を上昇させたり、下降させたりすることができる。昇降体１２の周囲は、後述する出入口４１，４２（図９参照）を除く三方が全て壁によって囲まれており、昇降体１２が移動する一階、二階または一階、地階なども同様である。
【００１６】
図１〜図３に示すように、複数の水圧シリンダ１５，１６は、最上部にあるときの昇降体１２よりも上方に位置する建築物の一部に、昇降体１２の幅方向Ｗの長さと略同じ距離を隔て、互いに平行をなす状態で水平に固定されており、水圧シリンダ１５，１６のピストンロッド１５ａ，１６ａは昇降体１２の奥行き方向Ｄに沿って水平に伸展、収縮する。これらのピストンロッド１５ａ，１６ａの先端にはそれぞれ２本掛けのデュアルスプロケット１５ｂ，１６ｂが回動可能に軸支されている。
【００１７】
図２（ａ），（ｂ）に示すように、ピストンロッド１５ａ，１６ａとデュアルスプロケット１５ｂ，１６ｂとは、デュアルスプロケット１５ｂ，１６ｂの軸受部材１５ｕ，１６ｕに設けられた雌ねじ部１５ｔ，１６ｔに、ピストンロッド１５ａ，１６ａの先端部に設けられた雄ねじ部１５ｓ，１６ｓを螺合させ、ロックナット１５ｎ，１６ｎで締め付けることによって固定されている。従って、ロックナット１５ｎ，１６ｎを緩め、ピストンロッド１５ａ，１６ａをその軸心周りに回動させれば、デュアルスプロケット１５ｂ，１６ｂは前記軸心方向に移動するため、その位置調整を行うことができる。
【００１８】
また、水圧シリンダ１５，１６の下側の先端寄りの位置には、それぞれスプロケット２５ａ，２６ａが回動可能に設けられ、水圧シリンダ１５，１６の下側の基端部寄りの位置にはそれぞれスプロケット２５ｂ，２６ｂが同期軸２７とともに回動可能に設けられている。スプロケット２５ａ，２６ａおよび同期軸２７は建築物の一部にそれぞれ回動可能に軸支されており、スプロケット２５ｂ，２６ｂは互いに同期して回動する。
【００１９】
昇降体１２を吊り下げ保持している複数のチェーン１３ａ，１３ｂ，１４ａ，１４ｂのうち、チェーン１３ａ，１３ｂの上端部は係止部材２３に連結され、チェーン１４ａ，１４ｂの上端部は係止部材２４に連結されている。これらの係止部材２３，２４は建築物の一部に固定されている。複数のチェーン１３ａ，１３ｂ，１４ａ，１４ｂの下端部はそれぞれ昇降体１２の四隅部分に設けられた吊り下げロッド２１ａ，２１ｂ，２２ａ，２２ｂの上端部に連結されている。
【００２０】
係止部材２３に上端部が連結されたチェーン１３ａ，１３ｂは２本掛けのデュアルスプロケット１５ｂに掛けられ、ここでＵターンした後、片方のチェーン１３ａはスプロケット２５ａに掛けられて９０度方向変換された後、下方へ垂下して吊り下げロッド２１ａに連結され、他方のチェーン１３ｂは、水圧シリンダ１５に沿ってその基端部方向に延設され、スプロケット２５ｂに掛けられて９０度方向変換された後、下方へ垂下して吊り下げロッド２１ｂに連結されている。
【００２１】
一方、係止部材２４に上端部が連結されたチェーン１４ａ，１４ｂは２本掛けのデュアルスプロケット１６ｂに掛けられ、ここでＵターンした後、片方のチェーン１４ａはスプロケット２６ａに掛けられて９０度方向変換された後、下方へ垂下して吊り下げロッド２２ａに連結され、他方のチェーン１４ｂは、水圧シリンダ１６に沿ってその基端部方向に延設され、スプロケット２６ｂに掛けられて９０度方向変換した後、下方へ垂下して吊り下げロッド２２ｂに連結されている。
【００２２】
昇降体１２は、人間Ｍが乗り降りすることのできる搭乗部１１と、人間Ｍが乗り降り可能な高さを隔てて搭乗部１１と平行に配置された平板状の天井部１７と、搭乗部１１と天井部１７とを連結する複数の円管状の支柱１８と、支柱１８間に水平配置された円管状の手摺り１９と、を備え、手摺り１９の一部に、昇降体１２の上昇、下降および停止の操作を行うための操作レバー２０ａを有する操作機２０Ｙが配置されている。搭乗部１１は、人間Ｍの体重以上の荷重を支えるのに十分な強度を有するフレーム１１ｂと、フレーム１１ｂの上面全体に敷設されたフロア材１１ａとで構成されている。
【００２３】
搭乗部１１および天井部１７はいずれも略同サイズの四角形をなし、それぞれの四隅部分を上下に貫通して支柱１８が固定されているため、搭乗部１１の前後左右４面は開放状態にある。図４に示すように、支柱１８内には、吊り下げロッド２１ｂが挿通され、その下端部に設けられた雄ねじ部２１ｓが搭乗部１１下面のホルダ部材２８を貫通するとともに、ホルダ部材２８から下方へ突出した雄ねじ部２１ｓに複数のナット３７ａ，３７ｂが螺着されている。また、吊り下げロッド２１ｂの上端部にはチェーン１３ｂが連結されている。このため、ナット３７ｂを緩め、ナット３７ａを回動させれば、搭乗部１１の四隅の一部を吊り下げロッド２１ｂの軸心方向に沿って移動させることができる。
【００２４】
また、他の吊り下げロッド２１ａ，２２ａ，２２ｂも同様に支柱１８内に挿通され、搭乗部１１下面のホルダ部材を貫通する雄ねじ部にそれぞれ複数のナットが螺着され、図４と同じ機構が形成されている。従って、搭乗部１１の四隅にある全てのナット３７ｂを緩めてナット３７ａを回動させれば、吊り下げロッド２１ａ，２１ｂ，２２ａ，２２ｂに対する搭乗部１１全体の高さ調整を行うことができ、四隅のうちのいずれかのナット３７ｂを緩め、ナット３７ａを回動させれば、搭乗部１１の水平調整を行うことができる。
【００２５】
図５に示すように、水道水の圧力で伸縮する水圧シリンダ１５（１６）のピストンロッド１５ａ（１６ａ）の伸展動作、収縮動作によってデュアルスプロケット１５ｂ（１６ｂ）を介してチェーン１３ａ（１４ａ），１３ｂ（１４ｂ）をＵ状屈曲させたり、元の形状に復元させたりすると、昇降体１２を吊り下げているチェーン１３ａ（１４ａ），１３ｂ（１４ｂ）は、垂直上方へ引き上げられたり、戻されたりすることとなるため、これによって昇降体１２を上昇させたり、下降させたりすることができる。
【００２６】
次に、図６〜図１０を参照して、水圧シリンダ１５，１６を作動させるための水道水の給排水経路および昇降装置１０の昇降動作などについて説明する。図６は昇降装置１０における水道水の給排水経路を示す配管図、図７は昇降装置１０を構成する操作機を示す側面図、図８は図７に示す操作機に内蔵されている切換弁の機能を示す図、図９は昇降装置１０の昇降体１２が一階にある状態を示す垂直断面図、図１０は昇降装置１０の昇降体１２が二階にある状態を示す垂直断面図である。
【００２７】
図９に示すように、本実施形態の昇降装置１０は、床部４３と天井床部４４との間に一階Ｆ１が形成され、天井床部４４と天井部４５との間に二階Ｆ２が形成された建築物内に設けられている。昇降装置１０を操作するための３つの操作機２０Ｘ，２０Ｙ，２０Ｚが設けられ、操作機２０Ｘは建築物の二階Ｆ２に配置され、操作機２０Ｙは昇降体１２の内部に配置され（図１参照）、操作機２０Ｚは建築物の一階Ｆ１に配置されている。図７に示すように、それぞれの操作機２０Ｘ，２０Ｙ，２０Ｚは、操作レバー２０ａおよび切換弁２０ｂと、排水管ｓ、出水管ｔおよび入水管ｕとを有している。そして、待機中は位置Ｐ１にある操作レバー２０ａを傾動させて、位置Ｐ２または位置Ｐ３まで動かすと、後述するように、切換弁２０ｂが回動して、昇降体１２を上昇させたり、下降させたりすることができる。
【００２８】
図６に示すように、水道管５０に連結された給水管２９は、前述した３つの操作機２０Ｘ，２０Ｙ，２０Ｚにそれぞれ内蔵された切換弁２０ｂの入水管ｕに連通されており、操作機２０Ｚに至る前の給水管２９の途中にはストップ弁５１、上昇速度調整弁５２および圧力計５３が配置されている。また、操作機２０Ｘ，２０Ｙ，２０Ｚの各切換弁２０ｂの出水管ｔはいずれも送水管３０に連通され、送水管３０の先端は水圧シリンダ１５，１６に連結されている。一方、操作機２０Ｘ，２０Ｙ，２０Ｚの各切換弁２０ｂの排水管ｓはいずれも排水管３１に連通され、排水管３１の先端は所定の排水経路３３へ連結されている。操作機２０Ｚより下流に位置する排水管３１の途中には下降速度調整弁３２が配置されている。さらに、水圧シリンダ１５，１６の、ピストンロッド１５ａ，１６ａが伸縮する側の一部には、それぞれ漏水排出管３８ａ，３８ｂが接続され、その下流側は漏水排出管３８で合流し、排水管３１に連結されている。
【００２９】
図７に示すように、操作機２０Ｘ，２０Ｙ，２０Ｚはいずれも、操作レバー２０ａを傾動させることによって流路を切り換えることのできる切換弁２０ｂを内蔵し、切換弁２０ｂには排水管ｓ、出水管ｔおよび入水管ｕが設けられている。操作レバー２０ａを操作して位置Ｐ２まで傾動させると切換弁２０ｂが作動して図８（ａ）に示す状態となり、入水管ｕと出水管ｔとが連通する。また、操作レバー２０ａを位置Ｐ１に戻すと切換弁２０ｂが図８（ｂ）に示す状態となり、入水管ｕと出水管ｔの連通が遮断される。さらに、操作レバー２０ａを位置Ｐ３まで傾動させると切換弁２０ｂが図８（ｃ）に示す状態となり、出水管ｔと排水管ｓとが連通する。このように、操作レバー２０ａを操作して位置Ｐ１，Ｐ２，Ｐ３のいずれかに配置することにより、排水管ｓ、出水管ｔおよび入水管ｕの間の連通状態を切り換えることができる。
【００３０】
次に、図９，図１０を参照しながら、昇降装置１０の動作状態について説明する。図９に示すように、昇降体１２が一階Ｆ１で待機しているとき、操作機２０Ｘ，２０Ｙ，２０Ｚの操作レバー２０ａはいずれも位置Ｐ１にある。このとき昇降体１２の開口面１２ａ（図１参照）は一階Ｆ１に設けられた出入口４１に面しており、床部４３表面と、昇降体１２の搭乗部１１のフロア材１１ａ表面とは同じ高さとなっている。従って、一階Ｆ１に居る人間は出入口４１を通って昇降体１２の搭乗部１１に乗り降りすることができる。
【００３１】
図１で示したように、昇降体１２の搭乗部１１に乗り込んだ人間Ｍが操作機２０Ｙの操作レバー２０ａを操作して位置Ｐ２まで傾動させると、入水管ｕと出水管ｔとが連通するため、水道水は給水管２９から、操作機２０Ｙの入水管ｕおよび出水管ｔを経由して送水管３０へ流入した後、水圧シリンダ１５，１６へ送りこまれる。これによって、水圧シリンダ１５，１６のピストンロッド１５ａ，１６ａが同期して伸展し、その先端部のデュアルスプロケット１５ｂ，１６ｂがそれぞれチェーン１３ａ，１３ｂ，１４ａ，１４ｂをＵ状屈曲させ、チェーン１３ａ，１３ｂ，１４ａ，１４ｂを垂直上方へ引き上げるため、これによって昇降体１２は上昇する。
【００３２】
昇降体１２の上昇に伴い、床部４３と搭乗部１１との間に張設された折り畳み式カーテン３５の上縁部が引き上げられ、出入口４１が覆われていくとともに、昇降体１２の天井部１７と建物の天井板４６との間に張設された折り畳み式カーテン３６の下縁部が引き上げられ、二階Ｆ２の出入口４２が徐々に開いていく。なお、昇降体１２の開口面１２ａと対向する開口面１２ｂ（図１参照）は、建築物の側壁４７によって閉塞されている。
【００３３】
このときの昇降体１２の上昇速度は上昇速度調整弁５２を操作することによって調整することができる。また、昇降体１２を上昇させたい場合、搭乗部１１内の操作機２０Ｙ以外の操作機２０Ｘ，２０Ｚの操作レバー２０ａを同様に操作することによっても行うことができる。水圧シリンダ１５，１６を水道圧で作動させる場合、最小限の水圧が要求されることとなるが、一般都市の上水道の供給圧力は２０Ｐａ〜４０Ｐａ程度であり、標準値が３０Ｐａ程度であると考えられ、本実施形態の水圧シリンダ１５，１６はこの程度の水圧で十分作動するように設計されている。
【００３４】
なお、水道管５０からの給水圧が不足する場合、上昇速度調整弁５２とストップ弁５１との間に揚水ポンプ（図示せず）を配置すれば、この揚水ポンプで水圧を上げることができるので、給水圧の低い地域においても採用可能である。揚水ポンプとしては、例えば、一般家庭用の揚水ポンプが好適であるが、特に、実際の給水圧が所定水圧まで下がると自動的に作動開始し、給水圧が所定水圧に達すると自動停止する、自動発停装置付きの揚水ポンプが好適である。
【００３５】
昇降体１２が二階Ｆ２に到着すると、操作機２０Ｙの操作レバー２０ａが自動的に位置Ｐ１まで戻り、切換弁２０ｂは図８（ｂ）に示す状態となり、入水管ｕと出水管ｔとの連通が遮断されるため、水圧シリンダ１５，１６に対する水道水の供給および水圧シリンダ１５，１６からの排水が停止される。従って、昇降体１２は二階Ｆ２に自動停止し、その状態に保たれる。この状態においては、昇降体１２の搭乗部１１に居る人間Ｍが二階Ｆ２の天井床部４４に出たり、二階Ｆ２に居る人間が搭乗部１１に乗り込んだりすることができる。
【００３６】
次に、二階Ｆ２に停止している昇降体１２の搭乗部１１に乗り込んだ人間Ｍが操作機２０Ｙの操作レバー２０ａを操作して位置Ｐ３まで傾動させると、その切換弁２０ｂは図８（ｃ）に示す状態となり、出水管ｔと排水管ｓとが連通するため、水圧シリンダ１５，１６内の水道水は、昇降体１２に加わっている重力でピストンロッド１５ａ，１６ａを介して加わっている圧力により、排水管３１を通じて排水経路３３へ排出される。これにより、水圧シリンダ１５，１６のピストンロッド１５ａ，１６ａは同期して収縮し、Ｕ状屈曲していたチェーン１３ａ，１３ｂ，１４ａ，１４ｂが復元していき、チェーン１３ａ，１３ｂ，１４ａ，１４ｂが垂直下方へ下がっていくため、これによって昇降体１２は緩やかに下降する。
【００３７】
このときの昇降体１２の下降速度は下降速度調整弁３２を操作することによって調整することができる。なお、昇降体１２を下降させたい場合、搭乗部１１内の操作機２０Ｙ以外の操作機２０Ｘ，２０Ｚの操作レバー２０ａを同様に操作することによっても行うことができる。
【００３８】
昇降体１２が一階Ｆ１に到着すると、操作機２０Ｙの操作レバー２０ａが自動的に位置Ｐ１まで戻り、切換弁２０ｂは図８（ｂ）に示す状態となり、排水管ｓと出水管ｔとの連通が遮断されるため、水圧シリンダ１５，１６からの水道水の排出が停止され、昇降体１２は一階Ｆ１に自動停止し、その状態に保たれる。従って、昇降体１２の搭乗部１１に居る人間Ｍが一階Ｆ１の床部４３に出たり、一階Ｆ１に居る人間が搭乗部１１に乗り込んだりすることができる。
【００３９】
このように、操作機２０Ｘ，２０Ｙ，２０Ｚのいずれかの操作レバー２０ａを操作して切換弁２０ｂを切り換えることにより、人間Ｍが搭乗部１１に乗った状態で昇降体１２を上昇させたり、下降させたりすることができ、また、昇降体１２が一階Ｆ１、二階Ｆ２に到着したときの自動停止機構も備えているため、一階Ｆ１と二階Ｆ２との間の移動が容易となる。なお、操作機２０Ｘ，２０Ｙ，２０Ｚのいずれかの操作レバー２０ａを操作することによって昇降体１２が上昇、下降しているとき、位置Ｐ２，Ｐ３にあるレバー２０ａをＰ１に戻せば搭乗部１１は直ちに停止するので、非常時の緊急停止も可能である。
【００４０】
水圧シリンダ１５，１６のピストンロッド１５ａ，１６ａを伸縮させて昇降体１２を昇降させた場合、図５に示すように、昇降体１２の昇降距離Ｈはピストンロッド１５ａ（１６ａ）の伸縮距離Ｓの２倍となるため、ピストンロッド１５ａ（１６ａ）の伸縮動作のストロークは、必要とする、昇降体１２の昇降距離Ｈの半分ですむ。従って、比較的小型の水圧シリンダ１５，１６であっても昇降体１２を昇降させることが可能であり、広い設置スペースを必要とせず、水道水の消費量も比較的少なくて済む。また、昇降体１２は、複数のチェーン１３ａ，１３ｂ，１４ａ，１４ｂによって吊り下げた状態で昇降させるので、安定した昇降動作を行うことができ、昇降体１２の姿勢を安定させるためのガイド部材なども不要である。
【００４１】
また、２つの水圧シリンダ１５，１６および複数のチェーン１３ａ，１３ｂ，１４ａ，１４ｂを設けているため、昇降体１２を複数のチェーン１３ａ，１３ｂ，１４ａ，１４ｂで吊り下げた状態で、複数の水圧シリンダ１５，１６によって昇降させることができる。このため、昇降体１２に人間Ｍを乗せて昇降するのに充分な昇降力を得ることができ、昇降中における昇降体１２の安定性も良好である。
【００４２】
また、２つのピストンロッド１５，１６による複数のチェーン１３ａ，１３ｂ，１４ａ，１４ｂのＵ状屈曲・復元動作を同期させるため、チェーン１３ａ，１３ｂ、チェーン１４ａ，１４ｂにそれぞれ係合して回転する二本掛けのデュアルスプロケット１５ｂ，１６ｂと、複数のスプロケット２５ｂ，２６ｂを同軸上で連結する同期軸２７と、を設けている。従って、複数のチェーン１３ａ，１３ｂ，１４ａ，１４ｂのＵ状屈曲・復元動作が互いにずれることなく一致して行われ、昇降中における昇降体１２の安定性は極めて良好である。
【００４３】
一方、複数の水圧シリンダ１５，１６は、図１で示したように、昇降体１２の昇降領域Ｖ（図９参照）の上方位置に水平方向に配置しているため、水圧シリンダ１５，１６が、昇降体１２への乗り降りや昇降体１２の昇降動作を妨げたり、建築物の居住空間に悪影響を与えたりすることがなく、利便性にも優れている。前述したように、水圧シリンダ１５，１６の、ピストンロッド１５ａ，１６ａが伸縮する側の一部には、それぞれ漏水排出管３８ａ，３８ｂおよび漏水排出管３８が配管され、漏水排出管３８の下流側は排水管３１に連結されている。従って、水圧シリンダ１５，１６内においてピストンロッド１５ａ，１６ａ方向に漏出する水漏れが発生することがあっても、その漏水は漏水排出管３８ａ，３８ｂおよび漏水排出管３８を経由して排水管３１に排出されるため、水圧シリンダ１５，１６からの漏水が発生することもない。
【００４４】
また、昇降体１２の搭乗部１１は、円管状の支柱１８によって天井部１７と固定され、吊り上げロッド２１ａ，２１ｂ，２２ａ，２２ｂはこれらの支柱１８内に挿通されているため、搭乗部１１に居る人間Ｍなどが吊り上げロッド２１ａ，２１ｂ，２２ａ，２２ｂに直接触れることがなく、安全性にも優れている。さらに、水圧シリンダ１５，１６、係止部材２３，２４およびスプロケット２５ａ，２５ｂ，２６ａ，２６ｂは全て、一体化されたフレーム構造体（図示せず）に取り付けられているため、このフレーム構造体を建築物の梁材の上に設置し、昇降体１２の高さ調整および水平調整を行うことにより昇降装置１０を形成することができる。従って、設置工事は比較的簡単であり、工期も短くてすむ。
【００４５】
なお、本実施形態の昇降装置１０においては、一階Ｆ１の出入口４１および二階Ｆ２の出入口４２を、昇降体１２の開口面１２ａに臨む位置に設けているが、これに限定するものではないので、例えば、二階Ｆ２の出入口を、図１に示す、昇降体１２の開口面１２ｂに臨む位置あるいは手摺り１９が配置された面に臨む位置に設けることもできる。この場合、手摺り１９は支柱１８に着脱可能であるため、人間Ｍの出入りを妨げない面に設けることができる。
【産業上の利用可能性】
【００４６】
本発明の昇降装置は、居住者が一階と地上階または地階との間を容易に移動するための昇降手段として、一般住宅などにおいて広く利用することができる。
【図面の簡単な説明】
【００４７】
【図１】本発明の実施の形態である昇降装置を示す概略構成図である。
【図２】（ａ）は図１に示す昇降装置を構成する水圧シリンダ付近の側面図、（ｂ）は前記（ａ）の一部切欠拡大図である。
【図３】図２に示す水圧シリンダ付近の平面図である。
【図４】図１における矢線Ａで示す支柱付近の垂直断面図である。
【図５】水圧シリンダの伸縮動作を示す図である。
【図６】図１に示す昇降装置における水道水の給排水経路を示す配管図である。
【図７】図１に示す昇降装置を構成する操作機を示す側面図である。
【図８】図７に示す操作機に内蔵されている切換弁の機能を示す図である。
【図９】図１に示す昇降装置の昇降体が一階にある状態を示す垂直断面図である。
【図１０】図１に示す昇降装置の昇降体が二階にある状態を示す垂直断面図である。
【符号の説明】
【００４８】
１０  昇降装置
１１  搭乗部
１１ａ  フロア材
１１ｂ  フレーム
１２  昇降体
１２ａ，１２ｂ  開口面
１３ａ，１３ｂ，１４ａ，１４ｂ  チェーン
１５，１６  水圧シリンダ
１５ａ，１６ａ  ピストンロッド
１５ｂ，１６ｂ  デュアルスプロケット
１５ｎ，１６ｎ  ロックナット
１５ｓ，１６ｓ，２１ｓ  雄ねじ部
１５ｔ，１６ｔ  雌ねじ部
１５ｕ，１６ｕ  軸受部材
１７，４５  天井部
１８  支柱
１９  手摺り
２０Ｘ，２０Ｙ，２０Ｚ  操作機
２０ａ  操作レバー
２０ｂ  切換弁
２１ａ，２１ｂ，２２ａ，２２ｂ  吊り下げロッド
２３，２４  係止部材
２５ａ，２５ｂ，２６ａ，２６ｂ  スプロケット
２７  同期軸
２８  ホルダ部材
２９  給水管
３０  送水管
３１  排水管
３２  下降速度調整弁
３３  排水経路
３５，３６  折り畳み式カーテン
３７ａ，３７ｂ  ナット
３８，３８ａ，３８ｂ  漏水排出管
４１，４２  出入口
４３  床部
４４  天井床部
４６  天井板
４７  側壁
５０  水道管
５１  ストップ弁
５２  上昇速度調整弁
５３  圧力計
ｓ  排水管
ｔ  出水管
ｕ  入水管
Ａ  矢線
Ｄ  奥行き方向
Ｆ１  一階
Ｆ２  二階
Ｈ  昇降距離
Ｍ  人間
Ｐ１，Ｐ２，Ｐ３  位置
Ｓ  伸縮距離
Ｖ  昇降領域
Ｗ  幅方向
【図１】
2007031011.tif 000003
【図２】
2007031011.tif 000004
【図３】
2007031011.tif 000005
【図４】
2007031011.tif 000006
【図５】
2007031011.tif 000007
【図６】
2007031011.tif 000008
【図７】
2007031011.tif 000009
【図８】
2007031011.tif 000010
【図９】
2007031011.tif 000011
【図１０】
2007031011.tif 000012